(57)【特許請求の範囲】
【請求項１】
微生物が繁殖可能で空気の流通を可能とした土壌層と、
前記土壌層の下方に設けられ、前記土壌層を支持し、前記土壌層の下方に下部空間部を画成する下部空間部画成構造と、
汚染空気を前記土壌層の上下方向に通過させる空気流動手段と、
を備えた空気浄化装置において、
前記下部空間部画成構造は、平面的に縦横に密集して並べられた直方体形状の多数の中空状のブロックから成り、
前記直方体形状の中空状のブロックは、その４つの側面部に開口が形成され、かかる側面部の開口を介して前記直方体形状の中空状のブロックの内部空間が相互に連通することで、前記下部空間部が画成されており、
前記直方体形状の中空状のブロックは、その上面部に開口が形成され、かかる上面部の開口を介して前記下部空間部と前記土壌層の底部とが連通している、
ことを特徴とする空気浄化装置。
【請求項２】
前記平面的に並べられた多数の中空状のブロックの上面には土壌層を保持し空気の流動を可能とした網状の部材からなる土壌保持体が配置されている請求項１記載の空気浄化装置。
【請求項３】
前記平面的に並べられた多数の中空状のブロックの周囲には、相互に連通する多数の中空状のブロックの内部空間の周囲を閉塞する閉塞手段が設けられている請求項１記載の空気浄化装置。
【発明の詳細な説明】
【０００１】
【発明の属する技術分野】
本発明は、自動車や工場等から排出される排気ガスで汚染された空気を浄化する空気浄化装置に関し、更に詳細には、土壌層の下部に設けられる下部空間部画成構造を簡単に製作できる空気浄化装置に関する。
【０００２】
【従来の技術】
自動車や工場等から排出される排気ガスで汚染された空気を浄化する装置として、本出願人は地球環境保護の観点から土壌を用いた種々の形式のものを提案している。
このような土壌を用いた空気浄化装置では、土壌を所定の厚みとした土壌層を設け、この土壌層の下部に下部空間部を設け、汚染空気を下部空間部に導き下部空間部から土壌層へと汚染空気を上方に流動させ、土壌層を通過する際に汚染空気を浄化し、土壌層の表面から浄化された清浄な空気を大気に戻し、あるいは、土壌層の表面から汚染空気を土壌中に吸い込み、下部空間部から浄化された清浄な空気を排出するようにしている。
【０００３】
【発明が解決しようとする課題】
しかしながら、上述のような空気浄化装置では、土壌層を支持する下部空間部画成構造を、土壌層の重量に耐えられるように、かつ、土壌層との間で空気が流動できるように構成する必要があり、また、下部空間部画成構造は土壌を収容する容器の底部に設けられることから、製作に手間取り、コストダウンを図る上で不利があった。
本発明は前記事情に鑑み案出されたものであって、本発明の目的は、土壌層の下部に設けられる下部空間部画成構造を簡単に製作できる空気浄化装置を提供することにある。
【０００４】
【課題を解決するための手段】
前記目的を達成するため、本発明は、微生物が繁殖可能で空気の流通を可能とした土壌層と、前記土壌層の下方に設けられ、前記土壌層を支持し、前記土壌層の下方に下部空間部を画成する下部空間部画成構造と、汚染空気を前記土壌層の上下方向に通過させる空気流動手段とを備えた空気浄化装置において、前記下部空間部画成構造は、平面的に縦横に密集して並べられた直方体形状の多数の中空状のブロックから成り、前記直方体形状の中空状のブロックは、その４つの側面部に開口が形成され、かかる側面部の開口を介して前記直方体形状の中空状のブロックの内部空間が相互に連通することで、前記下部空間部が画成されており、前記直方体形状の中空状のブロックは、その上面部に開口が形成され、かかる上面部の開口を介して前記下部空間部と前記土壌層の底部とが連通していることを特徴とする。
【０００５】
また、本発明は、前記平面的に並べられた多数の中空状のブロックの上面には土壌層を保持し空気の流動を可能とした網状の部材からなる土壌保持体が配置されていることを特徴とする。
また、本発明は、前記平面的に並べられた多数の中空状のブロックの周囲には、相互に連通する多数の中空状のブロックの内部空間の周囲を閉塞する閉塞手段が設けられていることを特徴とする。
【０００６】
本発明では、多数のブロックを単に並べる作業により下部空間部画成構造が簡単に製作される。
【０００７】
【発明の実施の形態】
以下、本発明の実施例を添付図面に従って説明する。
図１は本発明に係る空気浄化装置の要部断面図、図２は直方体形状の中空状のブロックを平面的に縦横に密集して並べた状態の斜視図、図３は空気浄化装置の一部拡大図を示す。
空気浄化装置２は、土壌層４と、土壌層４の下方に下部空間部６を画成する下部空間部画成構造と、汚染空気を下部空間部６に供給する空気流動手段８等で構成されている。
【０００８】
前記土壌層４は、微生物が繁殖できるような土、例えば、黒土等をベースとしてパーライト等を混合し、空気が流動できるように空隙率を高めて構成され、土壌層４に植物を植える等は任意である。実施例では、図３に示すように、下部空間部６から汚染空気が土壌層４に円滑に流入されるように土壌層４の底部ではパーライト４０２のみを配置するようにしている。
前記土壌層４は側壁からなる容器４０４内に、例えば、４０cmから６０cmの深さとなるように充填されている。
【０００９】
前記下部空間部６は、平面的に縦横に密集して並べられた直方体形状の多数の中空状のブロック１０の、相互に連通する内部空間１００２により前記土壌層４の底部に連通させて構成されている。
前記ブロック１０は合成樹脂からなり、実施例では４０cm角で高さが３０cmの中空の直方体に形成されている。
図２に示すように、前記ブロック１０の上面部１００４には、その内部空間１００２と連通させて矩形の開口１００６が複数形成されている。
また、前記ブロック１０の４つの側面部１００８には、上下左右の縁を残して単一の開口１０１０がそれぞれ形成されている。
このようなブロック１０が平面的に並べられることにより、側面部１００８の開口１０１０により各ブロック１０の内部空間１００２が相互に連通され、また、これら相互に連通された内部空間１００２は上面部１００４の開口１００６により土壌層４の底部と連通することになる。
【００１０】
実施例では、平面的に縦横に密集して並べられたブロック１０の周囲に遮蔽板１２（閉塞手段に相当）が設けられ、相互に連通する内部空間１００２の周囲が閉塞されている。尚、一つの側面部１００８に開口１０１０が形成されていないブロック１０と、直交する二つの側面部１００８に開口１０１０が形成されていないブロック１０を予め用意しておき、多数のブロック１０を平面的に並べる際に、隅部箇所に、二つの側面部１００８に開口１０１０が形成されていないブロック１０を、その開口１０１０が形成されていない側面部１００８を外側に向けて配置し、外縁箇所に、一つの側面部１００８に開口１０１０が形成されていないブロックを、その開口１０１０が形成されていない側面部１００８を外側に向けて配置するようにすると遮蔽板１２を省くことができる。この場合には開口１０１０が形成されていない側面部１００８が閉塞手段に相当することになる。
【００１１】
このように並べられた多数のブロック１０の上面に土壌保持体１４が載置され、前記土壌層４はこの土壌保持体１４の上に設けられている。
前記土壌保持体１４は、汚染空気を下部空間部６から土壌層４に供給できる機能と、土壌層４を保持する機能とを備えた部材であればよく、例えば、金属や合成樹脂からなり多数の小孔が穿設された板状の部材や網状の部材を用いることができ、実施例ではナイロンメッシュを用いている。
尚、この土壌保持体１４は、例えば、ブロック１０の上面部１００４の開口１００６を比較的小さく形成しておき、土壌層４の底部に、この開口１００６よりも大きな砕石等を配置することで、あるいは、ブロック１０の上面部１００４をメッシュ状に形成すること等により省略可能である。
【００１２】
前記空気流動手段８は、適宜箇所から汚染空気を吸い込んで前記下部空間部６に圧送するブロア８０２や管体８０４から構成されている。
【００１３】
空気浄化装置２による汚染空気の浄化は次のようになされる。
ブロア８０２により吸い込まれた汚染空気は管体８０４を経て下部空間部６に供給される。
すなわち、汚染空気は、各ブロック１０の内部空間１００２に供給され、上面部１００４の開口１００６から土壌保持体１４を経て土壌層４に流入される。
そして、汚染空気が土壌層４を通過する際、土壌のフィルターとしての物理的な作用により粉塵の捕捉や、メタン等の炭化水素ガス等の不純成分の吸着が行なわれる。
また、微生物により不純成分等、汚染物質の分解が行なわれる。
土壌の表面や、或は土壌の内部で空気が流動する部分には、好気性微生物が繁殖し、土壌の内部で空気が流動しない部分には、嫌気性微生物が繁殖し、これら微生物の菌体内で消費されたり、呼吸で使われる等することで、例えば、一酸化炭素は主に二酸化炭素に変化され、メタンガスは主に二酸化炭素と水に分解される。
そして、このように汚染物質が除去された清浄な空気が、土壌層４の表面から大気に戻される。
【００１４】
本実施例によれば、多数のブロック１０を平面的に縦横に密集して並べることで下部空間部６を画成するようにしたので、ブロック１０を単に並べる作業により下部空間部画成構造を簡単に製作することができる。
そして、下部空間部画成構造は多数のブロック１０からなるので土壌層４の重量に十分に耐えられると共に、ブロック１０の現地への運搬は簡単になされ、更に、現地におけるブロック１０の設置も簡単になされるので、専門の職人を要せずに下部空間部６を備えた空気浄化装置２を安価に製作することが可能となる。
更に、多数のブロック１０を平面的に縦横に密集して並べて下部空間部６を画成するので、ブロック１０を載置する地盤に多少の凹凸があってもブロック１０の変位で地盤の凹凸を吸収でき、空気浄化装置２を安価に、迅速に製作する上で有利となる。
【００１５】
尚、実施例では、汚染空気を土壌層４中で下から上に流動させる空気浄化方式の場合について説明したが、本発明は、汚染空気を土壌の表面から吸い込み、土壌層４中で上から下へ流動させる空気浄化方式にも無論適用される。
【００１６】
【発明の効果】
以上の説明で明らかなように、本発明は、微生物が繁殖可能で空気の流通を可能とした土壌層と、前記土壌層の下方に設けられ、前記土壌層を支持し、前記土壌層の下方に下部空間部を画成する下部空間部画成構造と、汚染空気を前記土壌層の上下方向に通過させる空気流動手段とを備えた空気浄化装置において、前記下部空間部画成構造は、平面的に縦横に密集して並べられた直方体形状の多数の中空状のブロックから成り、前記直方体形状の中空状のブロックは、その４つの側面部に開口が形成され、かかる側面部の開口を介して前記直方体形状の中空状のブロックの内部空間が相互に連通することで、前記下部空間部が画成されており、前記直方体形状の中空状のブロックは、その上面部に開口が形成され、かかる上面部の開口を介して前記下部空間部と前記土壌層の底部とが連通しているようにした。
そのため、多数のブロックを単に並べる作業により下部空間部画成構造を簡単に製作でき、空気浄化装置のコストダウンを図る上で極めて有利となる。
【図面の簡単な説明】
【図１】  本発明に係る空気浄化装置の要部断面図である。
【図２】  直方体形状の中空状のブロックを平面的に縦横に密集して並べた状態の斜視図である。
【図３】  本発明に係る空気浄化装置の一部拡大図である。
【符号の説明】
２  空気浄化装置
４  土壌層
６  下部空間部
８  空気流動手段
１０  ブロック
１００２  内部空間
【図１】
0003726196.tif 000002
【図２】
0003726196.tif 000003
【図３】
0003726196.tif 000004